(57)【要約】【課題】  文字板の照明効果を高めることができると共に、文字板の装飾効果をも高めることができる指針式時計を提供する。【解決手段】  上面に凹凸部１６が形成された透明基板１４の下面に太陽電池素子１５が形成された太陽電池パネル８と、透明基板１４の側方に配置され、透明基板１４の側部に光を照射する発光素子１７と、太陽電池パネル８の上面に配置された光透過性を有する文字板９とを備えた。従って、発光素子１７によって発光した光を太陽電池パネル８の透明基板１４の側部から採り込んで透明基板１４で導きながら透明基板１４の上面に設けられた凹凸部１６によって拡散、反射することができる。このため、文字板９の照明効果を高めることができると共に、文字板９の下面に装飾層９ａを良好に設けることができるので、文字板９の装飾効果をも高めることができる。【選択図】        図２
2010203817.tif 000002
【特許請求の範囲】
【請求項１】
上面に凹凸部が形成された透明基板の下面に太陽電池素子が形成された太陽電池と、
前記透明基板の側方に配置され、前記透明基板の側部に光を照射する発光素子と、
前記太陽電池の上面に配置された光透過性を有する文字板と、
この文字板の上方に配置されて運針する指針と
を備えていることを特徴とする指針式時計。
【請求項２】
前記文字板の下面には、前記文字板を装飾するための装飾層が設けられていることを特徴とする請求項１に記載の指針式時計である。
【請求項３】
前記透明基板には、前記発光素子が挿入する凹部が設けられていることを特徴とする請求項１または請求項２に記載の指針式時計。
【請求項４】
前記発光素子は、前記透明基板の側部に光を照射するためのレンズ部を備えていることを特徴とする請求項１〜請求項３のいずれかに記載の指針式時計。
【発明の詳細な説明】
【技術分野】
【０００１】
この発明は、電子腕時計などの指針式時計に関する。
【背景技術】
【０００２】
従来、指針式の電子腕時計においては、特許文献１に記載されているように、腕時計ケース内に収納された時計モジュール上に太陽電池パネルを配置し、この太陽電池パネルの上面に光透過性を有する文字板を配置し、この文字板の上方に指針を運針可能に配置すると共に、文字板の側方に発光素子を配置し、この発光素子からの光を文字板内で導いて文字板の上方を照明するように構成したものが知られている。
【先行技術文献】
【特許文献】
【０００３】
【特許文献１】特開２００４−５３３８０号公報
【０００４】
すなわち、この種の電子腕時計では、発光素子が発光すると、その光が文字板の側部から文字板内に入射し、この入射した光が文字板で導かれながら、文字板の下面に設けられた凹凸部によって拡散、反射されることにより、この拡散、反射された光が文字板の上面から放出されて、文字板の上方を照明するように構成されている。
【発明の概要】
【発明が解決しようとする課題】
【０００５】
しかしながら、このような従来の電子腕時計においては、文字板の下面に光を拡散、反射するための凹凸部が設けられているため、文字板に光透過性をもたせた状態で、文字板の下面に文字板を装飾するための装飾層を印刷によって設けることが難しくなり、装飾層による文字板の装飾効果を十分に得ることができないという問題がある。
【０００６】
また、この電子腕時計では、太陽電池パネルの色、例えば黒色が目立たないように、文字板を着色しているため、文字板自体の光透過率が低下し、この文字板によって光を面方向に導く文字板の導光率も低下するため、十分な照明効果を得ることができないという問題もある。
【０００７】
この発明が解決しようとする課題は、文字板の照明効果を高めることができると共に、文字板の装飾効果をも高めることができる指針式時計を提供することである。
【課題を解決するための手段】
【０００８】
この発明は、上記課題を解決するために、次のような構成要素を備えている。
請求項１に記載の発明は、上面に凹凸部が形成された透明基板の下面に太陽電池素子が形成された太陽電池と、前記透明基板の側方に配置され、前記透明基板の側部に光を照射する発光素子と、前記太陽電池の上面に配置された光透過性を有する文字板と、この文字板の上方に配置されて運針する指針とを備えていることを特徴とする指針式時計である。
【０００９】
請求項２に記載の発明は、前記文字板の下面に、前記文字板を装飾するための装飾層が設けられていることを特徴とする請求項１に記載の指針式時計である。
【００１０】
請求項３に記載の発明は、前記透明基板に、前記発光素子が挿入する凹部が設けられていることを特徴とする請求項１または請求項２に記載の指針式時計である。
【００１１】
請求項４に記載の発明は、前記発光素子が、前記透明基板の側部に光を照射するためのレンズ部を備えていることを特徴とする請求項１〜請求項３のいずれかに記載の指針式時計である。
【発明の効果】
【００１２】
この発明によれば、発光素子が発光すると、その光が太陽電池の透明基板の側部から入射し、この入射した光が透明基板で導かれながら透明基板の上面に設けられた凹凸部によって拡散、反射され、この拡散、反射された光によって文字板の下面側を照明することができるので、発光素子からの光を透明基板で導いて文字板に十分に且つ良好に照射させることができる。
【００１３】
すなわち、太陽電池における透明基板の透明度を高めることができるので、この透明基板で発光素子からの光を効率良く導くことができると共に、この透明基板で導かれた光を透明基板の凹凸部によって良好に拡散、反射することができるので、発光素子からの光を透明基板で効率良く導いて文字板に十分に照射させることができ、これにより文字板の照明効果を高めることができる。また、文字板の下面に装飾層を容易に且つ良好に設けることができるので、文字板の装飾効果をも高めることができる。
【図面の簡単な説明】
【００１４】
【図１】この発明を指針式の電子腕時計に適用した一実施形態を示した拡大断面図である。
【図２】図１の要部を更に拡大して示した断面図である。
【図３】図２の太陽電池パネルを示した拡大斜視図である。
【図４】図３の太陽電池パネルを示した拡大平面図である。
【図５】図４の要部を更に拡大して示した平面図である。
【図６】この発明の一実施形態における太陽電池パネルの透明基板に対する発光素子の配置状態の変形例を示した斜視図である。
【発明を実施するための形態】
【００１５】
以下、図１〜図５を参照して、この発明を指針式の電子腕時計に適用した一実施形態について説明する。
この指針式の電子腕時計は、図１に示すように、腕時計ケース１を備えている。この腕時計ケース１の上部の外周部には、ベゼル２が設けられており、この腕時計ケース１の開口部における上部側には、時計ガラス３がパッキン３ａを介して取り付けられている。
【００１６】
この場合、時計ガラス３の下面には、図１に示すように、枠状の見切部材３ｂが配置されている。また、この腕時計ケース１の下部には、裏蓋４が防水リング４ａを介して取り付けられている。この腕時計ケース１の内部には、図１に示すように、時計モジュール５が緩衝部材６を介して収容されている。
【００１７】
この時計モジュール５は、図１および図２に示すように、腕時計に必要な各種の部品（図示せず）を搭載するためのハウジング７を備えている。このハウジング７の上面には、後述する太陽電池パネル８が配置されており、この太陽電池パネル８の上面には、後述する光透過性を有する文字板９が枠状の押え部材１０によって太陽電池パネル８を介してハウジング７上に押え付けられた状態で配置されている。
【００１８】
また、このハウジング７内には、時計ムーブメント（図示せず）が設けられている。この時計ムーブメントは、指針１１を運針させるための指針軸１２を備えている。この指針軸１２は、太陽電池パネル８および文字板９の各中心部に互いに対応して設けられた貫通孔１３内に下側から挿入されて文字板９の上方に突出し、この突出した上端部に指針１１が取り付けられている。指針１１は、秒針、分針、時針であり、文字板９の上方に配置され、この状態で指針軸１２の回転に応じて運針するように構成されている。
【００１９】
ところで、文字板９は、太陽電池パネル８の色（例えば黒色）が目立たないように、着色された半透明の樹脂または半透明のガラスからなり、全体が円板状に形成されている。この文字板９の下面は、図２に示すように、平坦面に形成されており、この平坦面の下面には、文字板９を装飾するための装飾層９ａが印刷などによって設けられている。この装飾層９ａは、光透過性を有するインクなどによって形成され、文字板９の上方から見えるように構成されている。また、この文字板９の上面における周縁部には、時字９ｂが等間隔で設けられている。
【００２０】
一方、太陽電池パネル８は、時計ガラス３および文字板９を透過した外部光が照射されると起電力を発生するものであり、図２に示すように、透明基板１４の下面に複数の太陽電池素子１５を設けた構成になっている。この場合、透明基板１４は、透明度の高い樹脂またはガラスかならなり、その内部に側方から入射した光を面方向に導く導光機能を有し、図３に示すように、全体が円板状に形成されている。
【００２１】
この透明基板１４の上面には、図２に示すように、凹凸部１６が形成されている。この凹凸部１６は、透明基板１４内に入射して面方向に導かれる光を順次拡散、反射して、文字板９の下面側に照射させるように構成されている。また、太陽電池素子１５は、図３に示すように、放射状に複数に分割された状態で、透明基板１４の下面に設けられている。
【００２２】
この透明基板１４の側方には、図１〜図４に示すように、発光素子１７が配置されている。この発光素子１７は、図２に示すように、発光ダイオード（ＬＥＤ）などのチップ状の発光体１８を素子基板１９上に配置し、この状態で発光体１８を透明な樹脂からなるレンズ部２０で覆った構成になっている。この場合、レンズ部２０は、発光体１８で発光した光を透明基板１４の側面部に向けて集光させて照射させるように構成されている。
【００２３】
また、この発光素子１７は、図４および図５に示すように、透明基板１４の外周部における所定位置、例えば３時の位置に設けられたほぼ半円形状の凹部１４ａ内に配置されている。この透明基板１４の凹部１４ａは、発光素子１７における発光体１８を覆うレンズ部２０が下側から挿入されて配置されることにより、レンズ部２０の外周側のほぼ半分を囲うように形成されている。
【００２４】
また、この透明基板１４の凹部１４ａは、文字板９の周縁部を上方から押える押え部材１０の下側に位置している。これにより、発光素子１７は、透明基板１４の凹部１４ａ内に挿入されて配置されると、押え部材１０によって覆い隠されるように構成されている。この発光素子１７は、図２に示すように、コイルスプリングなどの接続部材２１によってハウジング７内に設けられた回路基板（図示せず）に電気的に接続されている。
【００２５】
次に、このような指針式の電子腕時計の作用について説明する。
この指針式の電子腕時計では、外部光が時計ガラス３および文字板９を透過して太陽電池パネル８に照射されると、太陽電池パネル８が起電力を発生する。また、発光素子１７の発光体１８が発光すると、図２に示すように、その光がレンズ部２０によって透明基板１４に設けられた半円形状の凹部１４ａの内面に照射される。この照射された光は、凹部１４ａの内面、つまり透明基板１４の側面部から透明基板１４の内部に入射する。この入射した光は、透明基板１４内をその面方向に沿って導かれる。
【００２６】
このときに、透明基板１４で面方向に導かれる光は、透明基板１４の上面に設けられた凹凸部１６によって順次拡散、反射され、透明基板１４の上面から上方に向けて放出される。この放出された光は文字板９の下面に照射され、この照射された光が文字板９を透過することにより、文字板９の上方を明るく照明する。これにより、暗い所でも、指針１１によって指示された時刻、つまり指針１１が文字板９の時字９ｂを指示した時刻を知ることができる。
【００２７】
このように、この指針式の電子腕時計によれば、発光素子１７が発光すると、その光が太陽電池パネル８の透明基板１４の側部から入射し、この入射した光が透明基板１４で面方向に導かれながら、透明基板１４の上面に設けられた凹凸部１６によって順次拡散、反射され、この拡散、反射された光によって文字板９の下面側を照明することができるので、発光素子１７からの光を太陽電池パネル８の透明基板１４によって文字板９に十分に照射させることができる。
【００２８】
すなわち、太陽電池パネル８の透明基板１４は、透明度の高い材料で形成することができるので、この透明基板１４によって発光素子１７からの光を効率良く面方向に導くことができると共に、この透明基板１４で面方向に導かれる光を透明基板１４の凹凸部１６によって良好に拡散、反射することができる。このため、発光素子１７からの光を透明基板１４によって文字板９に十分に照射させることができるので、文字板９の照明効果を高めることができる。
【００２９】
これにより、文字板９の下面に照射された光が光透過性を有して文字板９に入射して、その上方に放出されることにより、文字板９の上方を明るく照明することができる。このため、暗い所でも、指針１１によって指示された時刻を良好に知ることができる。また、文字板９の下面に装飾層９ａを容易に且つ良好に設けることができるので、文字板９の装飾効果をも高めることができる。
【００３０】
この場合、文字板９は、その下面を平坦面に形成することができるので、文字板９に光透過性をもたせた状態でも、文字板９の下面に文字板９を装飾するための装飾層９ａを印刷などによって容易に且つ良好に設けることができ、これにより文字板９の装飾効果をも十分に高めることができる。この場合、装飾層９ａが光透過性を有しているので、太陽電池パネル８の透明基板１４から放出された光を良好に透過させることができ、これによっても文字板９の上方を明るく照明することができると共に、文字板９の装飾効果をも高めることができる。
【００３１】
また、透明基板１４の外周部には、発光素子１７が挿入する凹部１４ａが設けられていることにより、発光素子１７で発光した光を透明基板１４の凹部１４ａの内面から透明基板１４内に効率良く採り込むことができる。すなわち、発光素子１７における発光体１８を覆うレンズ部２０が凹部１４ａ内に挿入されて配置されることにより、発光体１８で発光した光を凹部１４ａの内面から確実に且つ効率良く透明基板１４内に採り込むことができる。
【００３２】
さらに、発光素子１７は、透明基板１４の側部に光を照射するためのレンズ部２０を備えていることにより、発光素子１７で発光した光を効率良く透明基板１４の側部、つまり透明基板１４の凹部１４ａの内面に照射させることができる。すなわち、発光素子１７の発光体１８で発光した光をレンズ部２０によって透明基板１４の凹部１４ａの内面に集光させて照射させることができるので、発光素子１７で発光した光を効率良く透明基板１４に入射させることができる。
【００３３】
なお、前述した一実施形態では、発光素子１７を太陽電池パネル８の透明基板１４の外周部における所定位置、例えば３時の位置に設けた場合について述べたが、これに限らず、例えば図６に示すように、２つの発光素子１７を太陽電池パネル８の透明基板１４の外周部における互いに対向する２箇所、例えば３時と９時との２箇所に配置しても良く、またこれに限らず、複数の発光素子１７を太陽電池パネル８の透明基板１４の外周部における３ヶ所以上に設けた構成でも良い。
【００３４】
また、前述した一実施形態およびその変形例では、指針式の電子腕時計に適用した場合について述べたが、必ずしも指針式の電子腕時計である必要はなく、例えばトラベルウオッチ、目覚まし時計、置き時計、掛け時計などの各種の指針式の時計に広く適用することができる。
【符号の説明】
【００３５】
１  腕時計ケース
３  時計ガラス
５  時計モジュール
８  太陽電池パネル
９  文字板
９ａ  装飾層
１１  指針
１２  指針軸
１３  貫通孔
１４  透明基板
１４ａ  凹部
１５  太陽電池素子
１６  凹凸部
１７  発光素子
１８  発光体
１９  素子基板
２０  レンズ部
【図１】
2010203817.tif 000003
【図２】
2010203817.tif 000004
【図３】
2010203817.tif 000005
【図４】
2010203817.tif 000006
【図５】
2010203817.tif 000007
【図６】
2010203817.tif 000008